【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
被写体から撮像装置に入射される光線の、入射位置、入射方向および強度を示す複数個のデータを含むライトフィールドデータを取得する取得手段と、
前記ライトフィールドデータに含まれる各データについて、該データと同じ被写体に対応する複数のデータに基づいて、前記光線の入射位置および入射方向で定義されるライトフィールド空間における射影方法を示す情報を導出する導出手段と、
前記ライトフィールドデータに含まれるデータのうち、前記ライトフィールド空間の所定の部分空間に属しない領域に含まれるデータを、前記導出手段により導出された前記射影方法に基づいて前記部分空間に射影することで、前記部分空間において前記ライトフィールドデータの情報量が増加した補正データを生成する補正手段と
を有することを特徴とする情報処理装置。
【請求項２】
前記射影方法を示す情報は、前記射影の方向を示す情報であることを特徴とする請求項１に記載の情報処理装置。
【請求項３】
前記射影方法を示す情報は、前記射影する先の座標を示す情報であることを特徴とする請求項１に記載の情報処理装置。
【請求項４】
前記ライトフィールド空間は、前記光線の入射位置を示す座標軸と、前記光線の入射方向を示す座標軸とを有する座標空間であることを特徴とする請求項１に記載の情報処理装置。
【請求項５】
前記導出手段は、前記ライトフィールドデータに含まれる各データについて、前記ライトフィールド空間において該データと同じ被写体に対応するデータ群によって形成される直線の方向を示す情報を導出し、
前記補正手段は、前記ライトフィールドデータに含まれるデータのうち、前記部分空間に属しない領域に含まれるデータを、前記部分空間に属しない領域に含まれるデータに対応する前記直線の方向に射影することで、前記補正データを生成することを特徴とする請求項２に記載の情報処理装置。
【請求項６】
前記導出手段は、前記ライトフィールドデータに含まれる各データについて、前記ライトフィールド空間において該データと同じ被写体に対応するデータ群によって形成される直線と前記部分空間とが交わる座標を前記射影する先の座標として導出し、
前記補正手段は、前記ライトフィールドデータに含まれるデータのうち、前記部分空間に属しない領域に含まれるデータを、前記導出手段により導出された座標に射影することで、前記補正データを生成することを特徴とする請求項３に記載の情報処理装置。
【請求項７】
前記補正手段は、前記部分空間に属しない領域に含まれるデータのうち、前記部分空間を通過する前記直線に対応する、又は前記部分空間を通過する前記直線の近傍に存在するデータのみを前記部分空間に射影することを特徴とする請求項５に記載の情報処理装置。
【請求項８】
前記補正手段は、前記部分空間に属しない領域に含まれるデータのうち、前記部分空間を通過する前記直線に対応する、又は前記部分空間を通過する前記直線の近傍に存在するデータのみを前記部分空間に射影することを特徴とする請求項６に記載の情報処理装置。
【請求項９】
前記補正手段は、前記補正データにおいて、前記部分空間に含まれる所定の大きさの領域に複数のデータが存在する場合、前記所定の大きさの領域に存在する複数のデータのうち、前記撮像装置から最も近い位置に存在する被写体に対応するデータの重みを、前記所定の大きさの領域に存在する他のデータの重みよりも大きくすることを特徴とする請求項１に記載の情報処理装置。
【請求項１０】
前記補正手段は、前記所定の大きさの領域に存在する複数のデータのうち、前記撮像装置から最も近い位置に存在する被写体に対応するデータとは異なるデータの重みを０にすることを特徴とする請求項９に記載の情報処理装置。
【請求項１１】
前記補正手段は、前記所定の大きさの領域に存在する複数のデータに対応する各被写体の位置関係を、前記ライトフィールド空間において前記各被写体に対応するデータ群により形成される直線の方向に基づいて判定し、該判定した位置関係に基づいて前記重みを決定することを特徴とする請求項９に記載の情報処理装置。
【請求項１２】
ユーザによる指示を入力する操作手段と、
前記操作手段により入力されたユーザ指示に基づいて、前記ライトフィールド空間において、前記ライトフィールドの情報量を増加させる領域を決定する決定手段と
を更に備えることを特徴とする請求項１に記載の情報処理装置。
【請求項１３】
前記補正データから、前記ライトフィールドデータが示す画像データよりも解像度の高い画像データを生成する生成手段を更に有することを特徴とする請求項１に記載の情報処理装置。
【請求項１４】
前記補正手段は、前記ライトフィールド空間に含まれる、複数の不連続な領域において前記ライトフィールドデータの情報量が増加した補正データを生成し、
前記生成手段は、前記複数の不連続な領域のそれぞれに対応する複数の画像データを生成し、前記生成した前記複数の画像データを合成することで、前記ライトフィールドデータが示す画像データよりも解像度が高く、前記ライトフィールドデータが示す画像データと異なる合焦状態を示す画像データを生成することを特徴とする請求項１３に記載の情報処理装置。
【請求項１５】
被写体から撮像装置に入射される光線の、入射位置、入射方向および強度を示す複数個のデータを含むライトフィールドデータを取得する取得手段と、
前記取得手段により取得されたライトフィールドデータに基づいて、前記ライトフィールドデータが示す画像よりも解像度の高い、パンフォーカスの画像データを生成する生成手段と
を有することを特徴とする情報処理装置。
【請求項１６】
被写体から撮像装置に入射される光線の、入射位置、入射方向および強度を示す複数個のデータを含むライトフィールドデータを取得する取得ステップと、
前記ライトフィールドデータに含まれる各データについて、該データと同じ被写体に対応する複数のデータに基づいて、前記光線の入射位置および入射方向で定義されるライトフィールド空間における射影方法を示す情報を導出する導出ステップと、
前記ライトフィールドデータに含まれるデータのうち、前記ライトフィールド空間の所定の部分空間に属しない領域に含まれるデータを、前記導出ステップで導出された前記射影方法に基づいて前記部分空間に射影することで、前記部分空間において前記ライトフィールドデータの情報量が増加した補正データを生成する補正ステップと
を含むことを特徴とする情報処理方法。
【請求項１７】
コンピュータを請求項１乃至１５のいずれか一項に記載の情報処理装置の各手段として実行させるためのプログラム。
【手続補正２】
【補正対象書類名】明細書
【補正対象項目名】０００５
【補正方法】変更
【補正の内容】
【０００５】
上記課題を解決するために、本発明の情報処理装置は、被写体から撮像装置に入射される光線の、入射位置、入射方向および強度を示す複数個のデータを含むライトフィールドデータを取得する取得手段と、前記ライトフィールドデータに含まれる各データについて、該データと同じ被写体に対応する複数のデータに基づいて、前記光線の入射位置および入射方向で定義されるライトフィールド空間における射影方法を示す情報を導出する導出手段と、前記ライトフィールドデータに含まれるデータのうち、前記ライトフィールド空間の所定の部分空間に属しない領域に含まれるデータを、前記導出手段により導出された前記射影方法に基づいて前記部分空間に射影することで、前記部分空間において前記ライトフィールドデータの情報量が増加した補正データを生成する補正手段とを有する。